(57)【特許請求の範囲】
【請求項１】
被写体を照らす補助照明手段と、
上記被写体を撮像する撮像手段と、
焦点距離に応じて上記撮像手段への入射光量が変化するズームレンズ部と、
上記撮像手段から出力される画像信号を設定されている増幅率で増幅する増幅手段と、
上記被写体の明るさを測定する測光手段とを備え、
上記補助照明手段を用いて撮影するときに、上記焦点距離に応じて上記増幅手段の上記増幅率の設定を変更するようにし、
上記測光手段によって測定された上記明るさが所定値より明るい場合、上記増幅率の設定を変更しないようにしたことを特徴とする撮像装置。
【請求項２】
被写体を照らす補助照明手段と、
上記被写体を撮像する撮像手段と、
焦点距離に応じて上記撮像手段への入射光量が変化するズームレンズ部と、
上記撮像手段から出力される画像信号を設定されている増幅率で増幅する増幅手段と
上記被写体の明るさを測定する測光手段と、
上記被写体との距離を測定する測距手段とを備え、
上記補助照明手段を用いて撮影するときに、上記焦点距離に応じて上記増幅手段の上記増幅率の設定を変更するようにし、
上記測光手段によって測定された上記明るさが所定値より明るい場合、且つ上記測距手段によって測定された上記距離が所定値以下となる場合、上記増幅率の設定を変更しないようにしたことを特徴とする撮像装置。
【請求項３】
照明手段によって被写体を照らし、
撮像手段で上記被写体を撮像し、
焦点距離に応じてズームレンズ部の上記撮像手段への入射光量が変化するため、撮像された上記被写体の画像信号を設定されている増幅率で増幅し、
上記焦点距離に応じて上記増幅率の設定を変更するようにし、
上記被写体の明るさを測定し、測定された上記明るさが所定値より明るい場合、上記増幅率の設定を変更しないようにしたことを特徴とする撮像方法。
【請求項４】
照明手段によって被写体を照らし、
撮像手段で上記被写体を撮像し、
焦点距離に応じてズームレンズ部の上記撮像手段への入射光量が変化するため、撮像された上記被写体の画像信号を設定されている増幅率で増幅し、
上記焦点距離に応じて上記増幅率の設定を変更するようにし、
上記被写体の明るさを測定し、
上記被写体との距離を測定し、
測定された上記明るさが所定値より明るい場合、且つ測定された上記距離が所定値以下となる場合、上記増幅率の設定を変更しないようにしたことを特徴とする撮像方法。
【発明の詳細な説明】
【０００１】
【発明の属する技術分野】
この発明は、特に照明撮影（フラッシュ撮影など）に際して、焦点距離によってレンズの明るさ（撮像手段への入射光量）絞り値が変化するズームレンズで撮影されてもフラッシュ撮影可能範囲をほぼ一定に保つことができる撮像装置および撮像方法に関する。
【０００２】
【従来の技術】
現在、暗い場所などで撮影する際に、補助照明としてフラッシュを焚いて撮影を行うことができるように、カメラ本体にフラッシュが補助照明として内蔵されているものが主流となっている。このフラッシュが内蔵されているカメラは、自動発光機能となっているものが多く、誰でも手軽にフラッシュ撮影ができるようになされている。
【０００３】
しかしながら、フラッシュがカメラに内蔵されているためその発光光量には制約があり、さらにカメラによって最大発光光量、いわゆるガイドナンバー（以下、「ＧＮ」と称する）数値が決定されてしまう。このＧＮ数値は、大きいほどそのフラッシュの発光光量が大きいことを意味する。
【０００４】
また、ほとんどのカメラのフラッシュシステムは、調光機能を持っており、カメラと被写体との距離、すなわち焦点距離がフラッシュ撮影可能範囲となる場合、調光機能によってフラッシュの発光光量が自動的に調整されて常に適正露出となるように制御される。
【０００５】
しかしながら、焦点距離がフラッシュ撮影可能範囲を越え、その距離が離れるに従って、フラッシュの発光光量を最大にしても徐々に露出アンダーとなる問題があった。
【０００６】
また、焦点距離によってレンズの明るさ（Ｆナンバー）が変化する、いわゆるレンズのＦナンバー落ち（以下、「Ｆドロップ」と称する）が発生するズームレンズがカメラに搭載されている場合、もっとも明るい開放Ｆ値の焦点距離（例えば、ワイド端）で露出アンダーとなる距離と、もっとも暗い開放Ｆ値の焦点距離（例えば、テレ端）で露出アンダーとなる距離とは異なる。そして、Ｆドロップが大きいズームレンズほど、露出アンダーとなる距離差も大きくなり、ズーミングすることでフラッシュ撮影可能範囲が大きく変わってしまう。
【０００７】
これに対して、特開昭５６−１７５７７号公報には、ズーム倍率が大となったときには、一定の被写界深度を得るために必要な最小限の絞り値Ｆ以下には、絞りが開放されないようにしたものが記載されている。
【０００８】
また、特開昭６０−３５７１７号公報には、ズーム操作によって移動する部材に駆動部を設けると共に、絞り込み動作を行う絞りレバーが枢着される作動部材にカム部を設け、駆動部とカム部とが係合し、ズーム操作によって駆動部が移動すると作動部材が駆動されて絞りレバーが変位するように構成されているので、ズーミングによる絞り値の変動を補正することのできるようにしたものが記載されている。
【０００９】
さらに、被写体との距離を測定し、距離に応じて撮像素子の実効感度を上げていく技術も知られている。また、特開２０００−１６２６７９号公報には、予備発光によって本発光の発光光量の不足分を補うようにして撮像素子の実効感度を上げるものが記載されている。
【００１０】
【発明が解決しようとする課題】
しかしながら、フラッシュ撮影をする際の焦点距離と露出との関係が考慮されていないため、ズーミングしたときに発生するＦドロップによってレンズの明るさが変化したときに、焦点距離によっては適正露出となるフラッシュの発光光量を得ることができない問題は解決されていない。そのため、焦点距離によってレンズの明るさが変化するズームレンズで撮影されてもフラッシュ撮影可能範囲が大きく変わってしまうという問題があった。
【００１１】
従って、この発明の目的は、ズーミングしたときに発生するＦドロップによってレンズの明るさが変化しても、フラッシュ撮影可能範囲をほぼ一定に保つことができる撮像装置および撮像方法を提供することにある。
【００１２】
【課題を解決するための手段】
請求項１に記載の発明は、被写体を照らす補助照明手段と、被写体を撮像する撮像手段と、焦点距離に応じて撮像手段への入射光量が変化するズームレンズ部と、撮像手段から出力される画像信号を設定されている増幅率で増幅する増幅手段と、被写体の明るさを測定する測光手段とを備え、補助照明手段を用いて撮影するときに、焦点距離に応じて増幅手段の増幅率の設定を変更するようにし、測光手段によって測定された明るさが所定値より明るい場合、増幅率の設定を変更しないようにしたことを特徴とする撮像装置である。
また、請求項２に記載の発明は、被写体を照らす補助照明手段と、被写体を撮像する撮像手段と、焦点距離に応じて撮像手段への入射光量が変化するズームレンズ部と、撮像手段から出力される画像信号を設定されている増幅率で増幅する増幅手段と被写体の明るさを測定する測光手段と、被写体との距離を測定する測距手段とを備え、補助照明手段を用いて撮影するときに、焦点距離に応じて増幅手段の増幅率の設定を変更するようにし、測光手段によって測定された明るさが所定値より明るい場合、且つ測距手段によって測定された距離が所定値以下となる場合、増幅率の設定を変更しないようにしたことを特徴とする撮像装置である。
【００１３】
請求項３に記載の発明は、照明手段によって被写体を照らし、撮像手段で被写体を撮像し、焦点距離に応じてズームレンズ部の撮像手段への入射光量が変化するため、撮像された被写体の画像信号を設定されている増幅率で増幅し、焦点距離に応じて増幅率の設定を変更するようにし、被写体の明るさを測定し、測定された明るさが所定値より明るい場合、増幅率の設定を変更しないようにしたことを特徴とする撮像方法である。
また、請求項４に記載の発明は、照明手段によって被写体を照らし、撮像手段で被写体を撮像し、焦点距離に応じてズームレンズ部の撮像手段への入射光量が変化するため、撮像された被写体の画像信号を設定されている増幅率で増幅し、焦点距離に応じて増幅率の設定を変更するようにし、被写体の明るさを測定し、被写体との距離を測定し、測定された明るさが所定値より明るい場合、且つ測定された距離が所定値以下となる場合、増幅率の設定を変更しないようにしたことを特徴とする撮像方法である。
【００１４】
照明手段によって被写体を照らし、撮像手段で被写体を撮像するときに、焦点距離に応じて撮像手段への入射光量（レンズの明るさ）が変化するため、撮像された被写体の画像信号を設定されている増幅率で増幅する。このとき、焦点距離に応じて増幅率の設定を変更する。このようにすることによって、ズームレンズ部の明るさが変化しても、撮影可能範囲をほぼ一定に保つことができる。
【００１５】
【発明の実施の形態】
以下、この発明の一実施形態について図面を参照して説明する。なお、各図に亘り同じ機能を有するものには、同一の参照符号を付し、説明の重複を避ける。図１は、この発明が適用された一実施形態の全体的構成を示す。外部から入射される被写体の像は、ズームレンズ５および絞り６を通過して撮像素子１に結像される。撮像素子１は、一例としてＣＣＤ（Charge Coupled Device）から構成される。撮像素子１に結像された画像は、光電変換されて電気信号となり、画像信号として増幅回路２へ供給される。増幅回路２では、供給された画像信号が増幅される。このときの増幅率は後述するように適宜設定される。増幅回路２で増幅された画像信号は、Ａ／Ｄ変換器３でデジタル化された後、信号処理回路４へ供給される。信号処理回路４では、供給された画像信号に対してクランプ処理、色信号処理、輝度信号処理、輪郭補正、欠陥補償、ホワイトバランス補正などの処理が施される。
【００１６】
これら回路の動作は、カメラＣＰＵ（Central Processing Unit）１１によって、制御される。例えば、ズームレンズ５はレンズ駆動回路８を介してカメラＣＰＵ１１によって自動焦点制御が行われ、絞り６は絞り駆動回路９を介してカメラＣＰＵ１１によって自動絞り制御が行われる。撮像素子１はタイミング発生回路（Timing Generator）１０を介してカメラＣＰＵ１１によって制御され、補助照明部７はカメラＣＰＵ１１からの制御信号に応じた発光光量、すなわち調光された発光光量が所定のタイミングで発光される。さらに、カメラＣＰＵ１１には、ユーザによって操作された操作部１２からの信号が供給される。この操作部１２は、例えば後述するように増幅回路２で画像信号に対して施される増幅率を設定するときに用いられる。
【００１７】
ここで、補助照明部７を使用したフラッシュ撮影の際に、適正露出とするためには、一般的にフラッシュのＧＮ数値、絞り値Ｆ、被写体との距離Ｄにおいて、（式１）に示す関係が成立する必要がある。
ＧＮ  ＝  Ｆ・Ｄ                              （式１）
例えば、絞り値がＦ２．８で被写体との距離Ｄが２ｍである場合、ＧＮ数値は５．６の発光光量でフラッシュ撮影を行えば適正露出とすることができる。
【００１８】
この（式１）に基づいた、絞り値Ｆと被写体との距離Ｄとの関係を図２中の線２１に示す。ただし、補助照明部７のＧＮ数値は１０とする。この線２１を境界線として、２２で示す領域はフラッシュ撮影可能範囲であり、２３で示す領域はフラッシュ撮影不可能範囲である。
【００１９】
逆に補助照明部７のＧＮ数値が１０、且つ絞り値がＦ２．８でフラッシュ撮影を行うときには、被写体との距離Ｄが約３．６ｍとなる。この約３．６ｍの範囲がフラッシュ撮影可能範囲となり、約３．６ｍの範囲内であれば調光機能によって常に適正露出で撮影することができる。しかしながら、被写体との距離Ｄがフラッシュ撮影可能範囲（約３．６ｍ）を越えるときには、露出アンダーとなる。
【００２０】
さらに、補助照明部７のＧＮ数値が１０、且つ絞り値がＦ５．６であったときには、被写体との距離Ｄが約１．８ｍとなり、この約１．８ｍの範囲がフラッシュ撮影可能範囲となり、約１．８ｍの範囲内であれば調光機能によって常に適正露出で撮影することができる。
【００２１】
カメラ本体に搭載された補助照明部７は、小型化や低消費電力化などの制約によって、絞り値Ｆが変化したときにも十分対応できるほどのＧＮ数値を持つ余裕がないのが現状である。例えば、ＧＮ数値が１０となる補助照明部７と、ワイド端からテレ端までのレンズの明るさがＦ２．８〜Ｆ５．６のＦドロップとなるズームレンズ５とが搭載されたカメラにおいて、距離３ｍの被写体をワイド端でフラッシュ撮影を行ったときに、適正露出であったものが、ズーミングすることにより露出アンダーとなってしまう。また、テレ端では、１．８ｍ付近まで被写体に近づかないと適正露出にはならない。この場合、ズーミングして被写体を大きく写しているのにさらに近づかなければならないことになる。
【００２２】
ここで、感度という点から見ると、撮像素子１は、例えばＩＳＯ（International Organization for Standardization）感度１００を基準にして画像信号を出力するとして、ズーミングすることによってＦドロップした場合、撮像素子１から出力される画像信号は、減光分だけ感度が低下したものとなる。その低下した感度を補うために、増幅回路２では、画像信号に対して設定された増幅率で増幅が施される。
【００２３】
一例として、図３Ａに示すように、ズームレンズ５の絞り値がＦ２．８のときに、撮像素子１はＩＳＯ感度１００の画像信号を出力する。この場合、増幅回路２では、撮像素子１からの画像信号を増幅する必要がないので、図３Ｂに示すように増幅率は０ｄＢとされる。
【００２４】
これに対して、ズームレンズ５の絞り値がＦ４のときに、絞り値がＦ２．８のときと同等のＩＳＯ感度１００の画像信号を撮像素子１から出力するためには、ＩＳＯ感度２００の画像信号を撮像素子１から出力する必要がある。そのため、増幅回路２において、撮像素子１から供給された画像信号がＩＳＯ感度２００となるように、増幅される。このときの増幅率は図３Ｂに示すように６ｄＢとされる。
【００２５】
また、ズームレンズ５の絞り値がＦ５．６のときに、絞り値がＦ２．８のときと同等のＩＳＯ感度１００の画像信号を撮像素子１から出力するためには、ＩＳＯ感度４００の画像信号を撮像素子１から出力する必要がある。そのため、増幅回路２において、撮像素子１からの画像信号がＩＳＯ感度４００となるように、増幅される。このとき増幅率は図３Ｂに示すように１２ｄＢとされる。
【００２６】
上述の（式１）は、ＩＳＯ感度１００を基準にしたときの式である。ＩＳＯ感度Ｓを考慮に入れた場合、（式１）は（式２）で表される。
ＧＮ・√（Ｓ／１００）  ＝  Ｆ・Ｄ            （式２）
ただし、√（  ）は、（  ）の中の演算結果の平方根を求める。
【００２７】
例えば、ＩＳＯ感度４００とし、ＧＮ数値が１０とし、絞り値がＦ５．６とすると、
１０・√（４００／１００）  ＝  ５．６・Ｄ
Ｄ  ≒  ３．５７（ｍ）
となる。すなわち、フラッシュ撮影可能範囲が約３．６ｍとなる。
【００２８】
ここで、この実施形態の制御の一例を図４のフローチャートを参照して説明する。ステップＳ１では、カメラのシャッターが半押しか否かが判断される。シャッターが半押しであると判断されると、ステップＳ２へ制御が移り、シャッターが半押しでないと判断されると、シャッターが半押しと判断されるまで、このステップＳ１の制御が繰り返される。
【００２９】
ステップＳ２では、フラッシュ撮影か否かが判断される。フラッシュ撮影であると判断されると、ステップＳ３へ制御が移り、フラッシュ撮影ではないと判断されると、ステップＳ８へ制御が移る。このとき、カメラの周囲の明るさを自動的に測定して、その測定結果に基づいてフラッシュ撮影を設定するか否かを自動的に判断するようにしても良いし、ユーザの操作によってフラッシュ撮影を設定するか否かを設定するようにしても良い。
【００３０】
ステップＳ３では、シャッターが深く押されたか否かが判断される。シャッターが深く押されたと判断されると、ステップＳ４へ制御が移り、シャッターが深く押されていないと判断されると、ステップＳ１へ制御が戻る。
【００３１】
ステップＳ４では、後述するサブルーチンを呼び出して、Ｆドロップによって発生した撮像素子１の感度の減少分を補うように、増幅回路２で用いられる増幅率が設定される。ステップＳ５では、撮像素子１で露光が開始される。ステップＳ６では、所定の発光光量が補助照明部７から発光される。ステップＳ７では、撮像素子１の露光が終了する。そして、このフローチャートが終了する。
【００３２】
また、フラッシュ撮影でないと判断された場合、ステップＳ８において、シャッターが深く押されたか否かが判断される。シャッターが深く押されたと判断された場合、ステップＳ９へ制御が移り、シャッターが深く押されていないと判断された場合、ステップＳ１へ制御が戻る。ステップＳ９では、撮像素子１で露光が開始される。そして、ステップＳ７へ制御が移る。
【００３３】
上述したステップＳ４のＦドロップを補うために増幅率を設定する制御の第１の例を図５のフローチャートを参照して説明する。この図５に示すフローチャートは、ステップＳ４に制御が移ったときに呼び出されるサブルーチンである。
【００３４】
ステップＳ１１では、補助発光部７のＧＮ数値と、ズームレンズ５が一番明るくなる絞り値Ｆminとが取り出される。ステップＳ１２では、上述の（式１）によって最大距離Ｄmaxが算出される。すなわち、ＧＮ＝Ｆmin・Ｄから算出された距離Ｄが最大距離Ｄmaxとなる。
【００３５】
ステップＳ１３では、現在のズームレンズ５の絞り値Ｆが検出される。ステップＳ１４では、上述の（式２）によってＩＳＯ感度Ｓが算出される。すなわち、ＧＮ＝√（Ｓ／１００）＝Ｆ・ＤmaxからＩＳＯ感度Ｓが算出される。ステップＳ１５では、算出されたＩＳＯ感度Ｓに相当する増幅率が設定される。
【００３６】
そして、この図５のフローチャートが終了すると、この図５のフローチャートが呼び出されたステップＳ４へ制御が戻る。
【００３７】
上述したステップＳ４のＦドロップを補うために増幅率を設定する制御の第２の例を図６のフローチャートを参照して説明する。この図６のフローチャートは、明るさに応じて増幅率を設定する一例である。なお、この図６に示すフローチャートは、ステップＳ４に制御が移ったときに呼び出されるサブルーチンである。
【００３８】
ステップＳ２１では、明るさを比較するための基準値Ｅrefが設定される。ステップＳ２２では、測光手段によって、カメラの周囲の明るさＥが検出される。ステップＳ２３では、検出された明るさＥは、基準値Ｅrefより明るいか否かが判断される。検出された明るさＥが基準値Ｅrefより明るい場合、このフローチャートは終了し、検出された明るさＥが基準値Ｅrefより暗い場合、ステップＳ２４へ制御が移る。
【００３９】
ステップＳ２４では、補助発光部７のＧＮ数値と、ズームレンズ５が一番明るくなる絞り値Ｆminとが取り出される。ステップＳ２５では、取り出されたＧＮ数値と、絞り値Ｆminとを用いて、上述の（式１）によって最大距離Ｄmaxが算出される。すなわち、ＧＮ＝Ｆmin・Ｄmaxから最大距離Ｄmaxが算出される。
【００４０】
ステップＳ２６では、現在のズームレンズ５の絞り値Ｆが検出される。ステップＳ２７では、上述の（式２）によってＩＳＯ感度Ｓが算出される。すなわち、ＧＮ＝√（Ｓ／１００）＝Ｆ・ＤmaxからＩＳＯ感度Ｓが算出される。ステップＳ２８では、算出されたＩＳＯ感度Ｓに相当する増幅率が設定される。
【００４１】
そして、この図６のフローチャートが終了すると、この図６のフローチャートが呼び出されたステップＳ４へ制御が戻る。このように、測光手段によって、検出された明るさＥが基準値Ｅrefより明るい場合、増幅率の設定が行われない。
【００４２】
上述したステップＳ４のＦドロップを補うために増幅率を設定する制御の第３の例を図７のフローチャートを参照して説明する。この図７のフローチャートは、距離に応じて増幅率を設定する一例である。なお、この図７に示すフローチャートは、ステップＳ４に制御が移ったときに呼び出されるサブルーチンである。
【００４３】
ステップＳ３１では、補助発光部７のＧＮ数値と、現在のズームレンズ５の絞り値Ｆとが取り出される。ステップＳ３２では、取り出されたＧＮ数値と、絞り値Ｆとを用いて、上述の（式１）によって基準となる距離Ｄrefが算出される。すなわち、ＧＮ＝Ｆ・Ｄrefから基準となる距離Ｄrefが算出される。ステップＳ３３では、測距手段によって、被写体との距離Ｄが検出される。
【００４４】
ステップＳ３４では、被写体は基準となる距離Ｄrefより近い位置か否かが判断される。すなわち、測距手段によって検出された距離Ｄが基準となる距離Ｄref以下か否かが判断される。検出された距離Ｄが基準となる距離Ｄref以下であると判断されると、このフローチャートは終了し、検出された距離Ｄが基準となる距離Ｄrefより大きいと判断されるとステップＳ３５へ制御が移る。
【００４５】
ステップＳ３５では、ズームレンズ５が一番明るくなる絞り値Ｆminとが取り出される。ステップＳ３６では、ステップＳ３１で取り出されたＧＮ数値と、絞り値Ｆminとを用いて、上述の（式１）によって最大距離Ｄmaxが算出される。すなわち、ＧＮ＝Ｆmin・Ｄmaxから最大距離Ｄmaxが算出される。ステップＳ３７では、上述の（式２）によってＩＳＯ感度Ｓが算出される。すなわち、ＧＮ＝√（Ｓ／１００）＝Ｆ・ＤmaxからＩＳＯ感度Ｓが算出される。ステップＳ３８では、算出されたＩＳＯ感度Ｓに相当する増幅率が設定される。
【００４６】
そして、この図７のフローチャートが終了すると、この図７のフローチャートが呼び出されたステップＳ４へ制御が戻る。このように、測距手段によって、検出された距離Ｄが基準となる距離Ｄref以下である場合、増幅率の設定が行われない。
【００４７】
このように、ステップＳ４において、増幅率を設定する場合、図５、図６および図７に示すフローチャートの制御の中から適宜選択して増幅率を設定するようにしても良い。また、測光手段によって、検出された明るさＥが基準値Ｅrefより明るい場合、且つ測距手段によって、検出された距離Ｄが基準となる距離Ｄref以下である場合、増幅率の設定が行われないようにしても良い。
【００４８】
ここで、焦点距離と増幅率との関係を図８Ａおよび図８Ｂに示す。図８Ａに示すように、焦点距離が離れたときに、より増幅率を上げるように変化させても良いし、図８Ｂに示すように、焦点距離の変化に応じて直線的に増幅率を上げるように変化させても良い。また、上述の（式２）による計算によって、その都度増幅率を算出するようにしても良いし、実際の画像とのバランスを見て階段状や直線近似のように増幅率が変化するように設定しても良い。
【００４９】
また、これら焦点距離と増幅率との関係は、予め出荷時に設定されていても良いし、ユーザが自由に設定できるようにしても良い。ユーザが設定する場合、操作部１２を操作することによってメニュー形式でその設定を変えるようにしても良い。
【００５０】
ここで、撮像素子１の実効感度がＩＳＯ感度１００であり、絞り値がＦ２．８〜Ｆ５．６のズームレンズ５において、ズーミングした際に絞り値がＦ５．６となっても撮像素子１の実効感度がＩＳＯ感度４００相当になるように増幅回路２の増幅率を設定すれば、被写体に近づかなくても絞り値がＦ２．８のときと同じ撮影距離でフラッシュ撮影可能範囲とすることができる。すなわち、Ｆドロップで減少した光量分を、増幅率を変えることで補うことができる。
【００５１】
しかしながら、単に焦点距離に応じて減光分に相当する増幅率に上げてしまうと、ノイズ分も増幅され、供給された画像の画質の悪化にも繋がってくる。そこで、焦点距離によって単純に増幅率を設定しないで、画質と適正露出とを考慮した設定とし、全体のバランスを取ることも重要である。例えば、増幅率の上限をＩＳＯ感度２００までというように設定するようにしても良い。
【００５２】
また、被写体の周囲が暗い場所でのフラッシュ撮影の場合は良いが、明るい室内でのフラッシュ撮影や、明るい太陽光に照らされた場所でフラッシュ撮影をする、いわゆる日中シンクロ撮影などのように明るい場合は、焦点距離によって増幅率をむやみに上げてしまうと、定常光まで増幅されるため、逆に露出オーバーとなってしまう場合もある。このような場合は、被写体の明るさを測光した情報に応じて、増幅率を上げた方が良いのか否かなど、適正な増幅率を判断し再設定するようにしても良い。
【００５３】
さらに、Ｆドロップしたとしても、被写体との距離が近接であり十分な光量が足りるときには、増幅率を上げる必要はないので、被写体との距離を測距した情報に応じて、適正な増幅率に再設定するようにしても良い。
【００５４】
この実施形態では、補助照明部７はカメラに搭載されているが、カメラ本体とは別に用意されたものでも良い。
【００５５】
この実施形態では、ズームレンズ５はカメラに搭載されているが、カメラ本体から着脱自在としても良い。
【００５６】
【発明の効果】
この発明に依れば、補助照明を用いたフラッシュ撮影を行う際に、ズームレンズのＦドロップによって撮像素子に入射される光量は減少するが、増幅率を変化させることによって光量の減少分を補うことができる。従って、ズーミングによってレンズの明るさが変化してもフラッシュ撮影可能範囲をほぼ一定に保つことができる。
【００５７】
また、この発明に依れば、被写体が明るいときや近接撮影のときなどで補助照明を用いたフラッシュ撮影を行う際には、ズームレンズのＦドロップとは関係なく、撮像素子から供給される画像信号に施される増幅率を適正値とすることができるので、露出オーバーやノイズの発生を抑えることができる。
【図面の簡単な説明】
【図１】この発明が適用されたカメラの全体的構成の一実施形態のブロック図である。
【図２】この発明に係るレンズの絞り値Ｆと被写体との距離Ｄとの関係を説明するために用いる特性図である。
【図３】この発明を説明するための特性図である。
【図４】この発明の制御の一実施形態を説明するためのフローチャートである。
【図５】この発明のＦドロップを補うために増幅率を設定する制御の第１の例のフローチャートである。
【図６】この発明のＦドロップを補うために増幅率を設定する制御の第２の例のフローチャートである。
【図７】この発明のＦドロップを補うために増幅率を設定する制御の第３の例のフローチャートである。
【図８】この発明に係る増幅率の変化の一例を示す特性図である。
【符号の説明】
１・・・撮像素子、２・・・増幅回路、３・・・Ａ／Ｄ変換器、４・・・信号処理回路、５・・・ズームレンズ、６・・・絞り、７・・・補助照明部、８・・・レンズ駆動回路、９・・・絞り駆動回路、１０・・・タイミング発生回路、１１・・・カメラＣＰＵ、１２・・・操作部
【図１】
0003744388.tif 000002
【図２】
0003744388.tif 000003
【図３】
0003744388.tif 000004
【図４】
0003744388.tif 000005
【図５】
0003744388.tif 000006
【図６】
0003744388.tif 000007
【図７】
0003744388.tif 000008
【図８】
0003744388.tif 000009